(57)【要約】【課題】棒状物の装着が容易に行えるうえ、構造が簡単で、しかも使用後を含めて外観がよいために高級感をもたせることのできるティーバッグを提供する。【解決手段】ティーバッグ１は、茶類を入れた布製または紙製の縦長の袋部２の外側に少なくとも１枚の布または紙３が重ねられていて、当該布または紙３が下方部分で閉じ合わされることにより小袋状部分１４になっているほか、茶類に接しない部分において切込み５・６等が設けられている。小袋状部分１４と切込み５・６等を利用して棒状物４を装着することができる。【選択図】      図１
2004331144.tif 000002
【特許請求の範囲】
【請求項１】
茶類を入れた布製または紙製の縦長の袋部の外側に少なくとも１枚の布または紙が重ねられていて、当該布または紙が下方部分で閉じ合わされることにより小袋状になっているとともに、茶類に接しない部分において少なくとも１箇所に切込みまたは通し穴が設けられていることを特徴とするティーバッグ。
【請求項２】
上記の切込みとして、長さの半分以下の間隔で平行に設けられた３本以上の横向きの切込みを含むことを特徴とする請求項１に記載のティーバッグ。
【請求項３】
上記の小袋状部分が、上方から下方にかけて幅が縮小した形の底部を有することを特徴とする請求項１または２に記載のティーバッグ。
【請求項４】
請求項１〜３のいずれかに記載のティーバッグに対し、棒状物が、上記の切込みまたは通し穴に通されるとともに上記小袋状の部分に先端を挿入されることにより装着されていることを特徴とするティーバッグ。
【請求項５】
請求項２に記載のティーバッグに対し、棒状物が、上記３本以上の切込みにて形成された２本以上の帯状部を捩った形で絡ませることにより装着されていることを特徴とするティーバッグ。
【請求項６】
棒状物に対してさらに、切込みからの抜け止めを兼ねた装飾物が取り付けられていることを特徴とする請求項４または５に記載のティーバッグ。
【発明の詳細な説明】
【０００１】
【発明の属する技術分野】
請求項に係る発明は、飲料を抽出するための茶類（茶葉など）を入れたティーバッグ、とくに、短時間で効率的に抽出できるうえ外観がよくておしゃれな入れ方ができるティーバッグに関するものである。
【０００２】
【従来の技術】
一般的なティーバッグやだしパックは、濾過紙、樹脂ネット、布などで形成した袋に茶葉やだしを入れて上部を閉じている。形状は角型、丸型、マチ付き、テトラ型などで、抽出液から取り出しやすいように糸（タック糸）を取り付けたものもある。
【０００３】
このようなティーバッグを使うときは、カップやポットなどに入れて熱湯を注ぐ。短時間で抽出するためには、かき混ぜるとよいが、付属の糸を引っ張るだけでは抽出液内のティーバッグを効果的に動かすことができない。そのため、素早く効率的に抽出するには、スプーンやスティック（マドラーや箸等）をわざわざ用意して撹拌しなければならない。
【０００４】
下記の特許文献１に記載された発明は、上記のような撹拌時の煩わしさを解消しようとするもので、図５（ａ）・（ｂ）のよう形態を有している。すなわち、その発明による飲料用等パック１’（図５（ａ））は、ストローなどの中空細長棒状物４’にあらかじめ切込み５’を設けておき、茶類を入れたパック２’をその切込み５’の間（つまり中空棒状物の浸液部）に差し込んでいる。別の実施形態としての飲料用等パック１”（図５（ｂ））では、パック２’の上端の開口部３’から中空細長棒状物４’を挿入したうえ、開口部３’でパック２’と棒状物４’とを熱溶着している。いずれも、抽出液の中で中空細長棒状物４’をパック２’とともに動かして撹拌を行う。
【特許文献１】特開２００２−２４０８５４号公報
【０００５】
【発明が解決しようとする課題】
糸を取り付けた従来の一般的なティーバッグは、上述のように撹拌しにくいほか、自立性がないために、紅茶などの抽出後、カップから取り出して受け皿に置いたとき形状が崩れてしまい、外観がよくない。そのため、容器内で漉せる専用ティーポットや茶漉しを使用したときのような「エレガント性」を演出することが難しく、たとえ高級茶葉を使用していても雰囲気がおいしく感じられない。消費者の間でも一般に「ティーバッグは安物」と受け止められがちである。高級茶やハーブティーなどを、おしゃれで高級感のあるティーバッグで楽しみたいという要望はあるものの、現在のところその要望に応えるティーバッグは見当たらない。
【０００６】
一方、上記特許文献１の飲料用等パック（図５（ａ）・（ｂ）を参照）は、ストローなどの中空細長棒状物を装着することから撹拌しやすいほか、中空棒状物のうち飲料等が入ってくる浸液部に内容物（茶類）が含まれるよう袋状のパックを装着するので一層効率的に抽出を行えるという利点がある。しかし、その飲料用パックでも、つぎのような面は需要者の要望を満たさない。
すなわち、ティーバッグを装着する中空棒状物が、浸液部に茶類が入るような太めのもので、あらかじめその中空棒状物に切込みを設け、またはパックの開口部と溶着するなど特殊な処置を施したものに限られてしまう。したがって、スプーンやマドラーなど、家庭にある任意の棒状物をティーバッグに取り付けることができない。また、ストローに切込みを入れたり上記のような溶着を施したりするのではなく、簡単ながらも見た目のよい形に袋と棒状物とを組み合わせて、上品で高級感のあるティーバッグに仕上げることも難しい。
【０００７】
以上の点を考慮して、請求項に係る発明は、棒状物の装着が容易に行えるうえ構造が簡単であり、しかも使用後を含めて外観がよいために高級感をもたせることのできるティーバッグを提供するものである。
【０００８】
【課題を解決するための手段】
請求項１に記載したティーバッグは、茶類（紅茶・緑茶のほか、コーヒーやだし、薬草、ハーブ等を含む）を入れた布製または紙製の縦長の袋部の外側に少なくとも１枚の布または紙（後述の例における支持シート３）が重ねられていて、当該布または紙（すなわち袋部の外側に重ねられた上記のもの）が下方部分で閉じ合わされることにより小袋状になっているとともに、茶類に接しない部分（袋部の上方部分、または外側に重ねられた上記の布や紙）において少なくとも１箇所に切込みか通し穴（またはその双方）が設けられていることを特徴とする。
【０００９】
このティーバッグは、スプーンやマドラー、スティックなど任意の棒状物を容易に組み合わせることができ、それによって、自立性があり抽出後にも形が崩れないものになる。任意の棒状物を容易に組み合わせることができるのは、このティーバッグには、上記のとおり切込みまたは通し穴があるとともに小袋状の部分があるからである。切込みまたは通し穴に棒状物を通し、かつその棒状物の先端を小袋状の部分に挿入すれば、ティーバッグの２箇所で棒状物を拘束した形にして両者を一つに組み合わせることができる。棒状物の先端を小袋状部分で拘束するので、差し込んだ棒状物が下へ抜け出ることがないうえ、その棒状物により、ティーバッグが浮き上がらないように押さえることも可能である。なお、上記のように通せて先端を挿入できるものであれば、棒状物の種類は限定されず、中空体である必要はない。ストロー等の下方部分に切込みを形成したり、棒状物とティーバッグとを溶着したりする必要もない。
【００１０】
上記のように任意の棒状物を組み合わせると、ティーバッグには自立性が備わって形が崩れにくくなるため、抽出の前後を通じて好ましい外観が維持され、高級茶葉等を視覚的にも楽しめる、高級感のともなうティーバッグとなる。抽出の際、ティーバッグとともに棒状物を動かすことにより抽出液を撹拌できるので、短時間に効率的に抽出することも可能である。なお、上記した切込みまたは通し穴は、ティーバッグのうち茶類に接しない部分に設けられているので、それらから茶類がこぼれて外に出てしまう心配はない。
【００１１】
請求項２に記載したティーバッグは、上記の切込みとして、長さ（切込み長さ）の半分以下というせまい間隔で平行に設けられた３本以上の横向き（縦長の袋部における縦方向と交差する向き）の切込みを含むことを特徴とする。
このようなティーバッグであれば、３本以上の切込みによって形成される２本以上の帯状部を捩った形で（たとえば図１のように）棒状物に絡ませることにより、棒状物を左右にぶれないように固定することができる。そのため、ティーバッグに対する棒状物の装着状態が安定し、撹拌しやすいうえ、棒状物が上方に抜けにくくなる。
【００１２】
請求項３に記載したティーバッグは、上記の小袋状部分が、上方から下方にかけて幅が縮小した形の底部を有することを特徴とする。
このような形状のティーバッグによれば、棒状物の先端がスプーンのような幅広のものでも、マドラーやストローのように細いものであっても、その底部において安定的に拘束できる。
【００１３】
請求項４に記載したティーバッグは、請求項１〜３のいずれかに記載のティーバッグに対し、棒状物が、上記の切込みまたは通し穴（またはその双方）に通されるとともに上記小袋状の部分に先端を挿入されることにより装着されていることを特徴とする。棒状物としては、スプーンやスティック、マドラー、シナモンスティック、ストローなどから適宜に選択して装着することができる。抽出後に氷を入れてアイスティーにする場合などにはストローを付けるのが好ましく、抽出後に砂糖などの撹拌をしやすいようにするならスプーン（たとえばプラスチック製の使い捨てのもの）がよいなど、販売時期や販売場所、需要者層等に合わせて棒状物の選択をするとよい。
このようなティーバッグは、棒状物が骨の役割を果たすので、抽出液内で棒状物とともにティーバッグを容易に撹拌でき、効率的な抽出が行える。また、抽出液内にあるときにも抽出液から取り出したときにも、ティーバッグは自立性を備えていて外観的に好ましい。たとえば、高級茶葉を含むティーバッグに上品で装飾性の高い棒状物を組み合わせることにより、外観的にも高級感をもたせることができ、エレガントなティータイムを演出することができる。
【００１４】
請求項５に記載したティーバッグは、請求項２に記載のティーバッグに対し、棒状物が、上記３本以上の切込みにて形成された２本以上の帯状部を捩った形で絡ませることにより装着されていることを特徴とする。「捩った形で絡ませる」とは、たとえば図１のように、上の位置に形成された帯状部を下の位置の帯状部の下に掛けて、ともに棒状物に絡ませることをいう。
このようなティーバッグによれば、ティーバッグに対して棒状物が安定的に固定されているので、さらに効果的にティーバッグを撹拌して抽出効果を増すことができる。
【００１５】
請求項６に記載したティーバッグは、棒状物に対してさらに、切込みからの抜け止めを兼ねた装飾物が取り付けられていることを特徴とする。図１の例におけるリボン１５や、図３の例の装飾品２３（イチゴ飾り）、図４の例の装飾品２３（花飾り）およびリボン２７は、ここにいう装飾物に相当する。
このようなティーバッグは、装飾物のために外観がさらに好ましいうえ、その装飾物が抜け止めを兼ねているために棒状物がティーバッグから一層に外れにくいという利点がある。
【００１６】
【発明の実施の形態】
発明の実施の形態を図１〜図４に基づいて説明する。
まず図１および図２は、第一の形態に関するものである。図１は、紅茶の葉（図示せず）を入れたティーバッグ１の全体図で、スプーン（ロングスプーン）４を取り付けた状態を示す。茶葉を入れる袋部をもつティーバッグ本体２の一方の面（図面の手前側）には、スプーン４を取り付けられるように支持シート３を重ね、その周囲をティーバッグ本体２に溶着している。そのようなティーバッグ本体２および支持シート３の素材としては、布、紙、または合成樹脂等であって、茶葉は通さないが水は通す性質と熱溶着性を有し、食品に使用できるものが適当である。ここでは、ティーバッグ用のヒートロンぺーパーを用いている。
【００１７】
支持シート３には、上部に１本の切込み５、中央部に４本の切込み６・７・８・９、下部に１本の切込み１０を、それぞれ横向き（幅方向）に形成していて、それらに対しつぎのようにスプーン４を通している。
ａ）  上部の切込み５は、ティーバッグ本体２と支持シート３を貫通していて、ここにスプーン４の柄４ａを通している。
ｂ）  中央部の切込み６・７・８・９は間隔をせばめて設け、３本の細長い（つまり幅の２倍程度以上の長さをもつ）帯状部１１・１２・１３を形成している。それらのうち、隣り合う２本の帯状部１１・１２を捩ることにより、挟むようにして安定的にスプーン４の柄４ａを保持している。
ｃ）  また、最も下に設けた切込み１０は、その下部に形成された小袋状部分１４に対する出入り口となる。切込み１０からスプーン４の先端４ｂを小袋状部分１４に差し込み、スプーン４をティーバッグ１の下方から抜け出ないように拘束している。
ｄ）  スプーン４の柄４ａには、切込み５の下においてリボン１５を結び付け、スプーン４が上方に抜け出るのを防いでいる。
【００１８】
ティーバッグ１は、図２（ａ）〜（ｆ）に示す手順により形成する。なお、ここでは、スプーン４に代えてストロー２１を装着する例を示す。
【００１９】
まず図２（ａ）に示すように、ティーバッグ１の原型となるのは、約１５ｃｍ×約８ｃｍ程度の縦長の袋体１６で、２枚のシート１７（前記したヒートロンぺーパー）を重ねたものである。約１５ｃｍという縦の長さは、ストロー２１（またはスプーン４など他の棒状物）の全長の半分以上に及ぶ寸法である。袋体１６の一方（図示下方）の短辺は開口１８とし、残りの３辺において２枚のシート１７が溶着されて袋状になっている。
【００２０】
こうした袋体１６について、幅方向をほぼ２等分する線Ｘと、溶着されている短辺から約３ｃｍだけ離れた線Ｙとに沿って２枚のシート１７を溶着し、袋体１６を４つに仕切る。開口１８は、溶着線Ｘにより２つの開口１８ａ・１８ｂに分かれる。４辺が溶着されて閉じている上方の部分をそれぞれ区画Ａ（図中左）、区画Ｂ（同右）とし、開口１８ａを含む下方の部分を区画Ｃ、開口１８ｂを含む部分を区画Ｄとする。区画Ａ・Ｂは、ストロー２１を支持する支持シート３として用い、区画Ｃ・Ｄは、ティーバッグ本体２として用いる。
【００２１】
区画Ａ・Ｂの中央部に、長さ約２ｃｍの横向きの切込み５を１本ずつ設ける。また区画Ｃには、上部に、長さ約２ｃｍの４本の切込み６・７・８・９を４ｍｍ程度ずつ間隔をあけて設け、それらより離れた下部に、さらに１本の切込み１０を設ける。
区画Ｄには、開口１８ｂから適量の茶葉を入れる。
【００２２】
溶着線Ｘに沿って袋体１６を折り、支持シート３とティーバッグ本体２とを重ね合わせる。周囲を溶着して一体にするが、図２（ｂ）のように、ティーバッグ１の底部１９は、中央下部に矩形部分２０を有するＶ字型に溶着し、溶着部より外側の余分なシート１７は切り落とす。これにより、切込み１０から底部１９にかけて小袋状部分１４を形成する。
【００２３】
つぎに、図２（ｃ）のように、ストロー２１の片方の端２１ａを持ち、他方の端２１ｂで帯状部１２を底部１９側からすくい上げる。続いて、端２１ａを回して反対側に倒し、端２１ｂで帯状部１１を帯状部１２の下からくぐらせるようにしてすくい上げる（図２（ｄ））。したがって、ストロー２１は、捩った形の２本の帯状部１１・１２に挟まれた状態になる。なお、上記とは逆の向きにストロー２１を帯状部１１・１２にくぐらせてもよいほか、ストロー２１等の長さによっては、帯状部１１・１２ではなく帯状部１２・１３に対して掛けるようにするのもよい。
【００２４】
さらに、ストロー２１を支持シート３に沿って底部１９寄りにすべらせ、端２１ａが切込み５の下方まできたら、上へ戻すようにして、重なり合った切込み５に通す（図２（ｅ））。最後に、ストロー２１の端２１ｂを、切込み１０から小袋状部分１４に差し込んで矩形部分２０に収める（図２（ｆ））。
【００２５】
以上説明したように、ストロー２１は簡単な手順により、３箇所（すなわち切込み５、帯状部１１・１２、小袋状部分１４）において支持シート３に拘束される。特に、帯状部１１・１２は捩っているのでストロー２１に対する拘束力が強く、ティーバッグ１へのストロー２１の安定的な装着を実現する。
【００２６】
また、小袋状部分１４がＶ字型の底部１９を有し、さらにその先端に矩形部分２０が形成されているので、スプーン４のような幅のあるものでも、ストロー２１やマドラー（図示せず）のように細いスティック状のものでも、左右にずれにくい。したがって、かき混ぜるときにティーバッグ１を動かしやすいという利点がある。
【００２７】
図３に、別の実施の形態であるティーバッグ３１を示す。ただし、図１・図２のティーバッグ１と共通する部分には同一の符号を付して、説明の繰り返しを省略する。
【００２８】
ティーバッグ３１は、上部の各切込み５の上方に、さらにハト目穴２２を有している。ハト目穴２２よりも径の大きい装飾品２３（図の例ではイチゴ飾り）をひも２４によって付け、そのひも２４をハト目穴２２に通してストロー２１に結び付ける。
【００２９】
装飾品２３は、ハト目穴２２から抜けることがないので、捩った帯状部１１・１２等による拘束力と合わせて、より安定的にストロー２１をティーバッグ３１に装着できる。また、装飾品２３により外観の高級化を図ることができる。
【００３０】
さらに別の実施の形態であるティーバッグ４１を、図４に示す。図４（ａ）はティーバッグ４１の基本的な形態を示す正面図であり、同（ｂ）はそのティーバッグ４１をカップ２５に入れて抽出している状態を示す斜視図である。
【００３１】
図４（ａ）のように、ティーバッグ４１では、袋部を有するティーバッグ本体２の一面側に縦寸法のやや短い１枚の支持シート３を重ねたうえ、支持シート３の底部と左右の側部をティーバッグ本体２に溶着したものである。支持シート３の上端部３ａは溶着されていないために開口となっており、またティーバッグ本体２のうち上端部に近い箇所にハト目穴（通し穴）２２が設けられている。図のように、ハト目穴２２に通すとともに支持シート３の上端部３ａから先端２１ｂを挿入して底部１９に収めることにより、ストロー２１をティーバッグ４１に取り付ける。
【００３２】
そうしたティーバッグ４１に対し、図４（ｂ）のように、前記の例と同様にハト目穴２２に通す針金２６をストロー２１に巻き付けることにより装飾品２３（図の例では花飾り）を取り付け、さらにそのハト目穴２２の付近でリボン２７をきつめに巻き付ける。このように装飾品２３とリボン２７とを巻くことにより、ティーバッグ４１は、美的外観が向上するとともにティーバッグ本体２とストロー２１との一体性が強くなっている。
【００３３】
上記のようなティーバッグ４１を図４（ｂ）のようにカップ２５に入れ、湯を注いで茶類の抽出を行う。ティーバッグ４１は、縦長のスマートなものでありながらストロー２１の作用でその形が崩れないこと、また装飾品２３やリボン２７を含むことによってもエレガントな外観を有することから、ハーブティなど高級な茶類のためのものとして好適である。図４（ａ）のティーバッグ４１には限らず、図１〜図３のものを含む発明のティーバッグならいずれも抽出状況は概ね図４（ｂ）のようになり、おしゃれで高級感のあるティータイムが楽しめる。
【００３４】
なお、必要な切込みや通し穴をティーバッグに設けておけば、それを購入等した利用者が、スプーンやストローの装着を家庭などで自身で行うことも可能である。そのようにすれば、ティーバッグの製造の手間やコストが低く抑えられるうえ、利用者は自分の好みの棒状物を装着し、好みのティーバッグに仕上げてティータイムを楽しむことができる。さらに好みの装飾品を取り付けることも、それぞれの利用者が自由に行える。
【００３５】
【発明の効果】
請求項１に記載したティーバッグには、スプーンやスティックなど任意の棒状物を容易に装着することができる。そしてそのように装着することにより、このティーバッグは、自立可能で外観がよいうえに、撹拌しやすくて効率的な抽出を行えるものになる。
【００３６】
請求項２に記載したティーバッグはさらに、装着した棒状物が左右にぶれないように固定でき、撹拌しやすいうえに棒状物が抜けにくいものとなる。
請求項３に記載のティーバッグでは、スプーンのような幅広のものであれスティックのように細いものであれ、棒状物を安定的に拘束することができる。
【００３７】
請求項４に記載のティーバッグは、棒状物を備えるために自立性があり、抽出中も取り出した後も外観にすぐれる。また、撹拌しやすいために効率的な抽出が可能であり、ほかにスプーンなどの撹拌器具を用意する必要がない。
【００３８】
請求項５のティーバッグは、棒状物がより安定的に装着されているので、撹拌中などに外れることがない。
請求項６のティーバッグなら、棒状物がとくに抜けにくいうえ、装飾品の効果で一層の高級感を演出できる。
【図面の簡単な説明】
【図１】発明の実施についての一形態であるティーバッグ１の全体図である。
【図２】図２（ａ）は、ティーバッグ１の袋体１６を示す平面図であり、同（ｂ）は、袋体１６を折り曲げた状態を示す平面図である。また同（ｃ）〜（ｆ）は、ストロー２１を装着する手順を示す斜視図である。
【図３】別の実施形態としてのティーバッグ３１を示す全体図である。
【図４】図４（ａ）は、さらに別の実施形態であるティーバッグ４１の基本形態を示す図であり、同（ｂ）は、そのティーバッグ４１を抽出している状態を示す斜視図である。
【図５】図５（ａ）・（ｂ）は、それぞれ従来の飲料用等パック１’・１”を示す斜視図である。
【符号の説明】
１・３１・４１  ティーバッグ
２  ティーバッグ本体（袋部）
３  支持シート
４  スプーン（棒状物）
５〜１０  切込み
１１〜１３  帯状部
１４  小袋状部分
２１  ストロー（棒状物）
２２  ハト目穴（通し穴）
２３  装飾品
【図１】
2004331144.tif 000003
【図２】
2004331144.tif 000004
【図３】
2004331144.tif 000005
【図４】
2004331144.tif 000006
【図５】
2004331144.tif 000007